(57)【要約】      （修正有）【課題】安全性に配慮すると共に、２枚のシート間に十分な風を取り込むことができ、宣伝広告効果を最大限に発揮することができるのぼり旗を提供する。【解決手段】のぼり旗１０は、旗１と、旗竿２と、旗１と旗竿２とを連結する旗取付部材３とを有しており、旗１は、２枚のシート１Ａ、１Ｂを重ね合わせると共に、短手方向の一方の端部近傍を長手方向に沿って断続的に綴じることによって形成された風穴４と、短手方向の他方の端部近傍に、旗取付部材３に係止される、２枚のシート１Ａ、１Ｂの各々に形成された係止穴５、５・・とを有し、旗取付部材３は、旗竿の外周面に対して回動自在な摺動部と、摺動部を中心として両側に延びる所定長の腕部と、腕部の端部側に形成された旗係止部とを有して旗１の係止穴５が、旗取付部材３の旗係止部に係止されている。【選択図】図１
0003197169.tif 000002
【実用新案登録請求の範囲】
【請求項１】
旗と、旗竿と、前記旗と前記旗竿とを連結する旗取付部材とを有するのぼり旗において、
前記旗は、２枚のシートを重ね合わせると共に、短手方向の一方の端部近傍を長手方向に沿って断続的に綴じることによって形成された風穴と、短手方向の他方の端部近傍に、前記旗取付部材に係止される、前記２枚のシートの各々に形成された係止穴とを有し、
前記旗取付部材は、前記旗竿の外周面に対して回動自在な摺動部と、該摺動部を中心として両側に延びる所定長の腕部と、該腕部の端部側に形成された旗係止部とを有し、
前記旗の係止穴が、前記旗取付部材の旗係止部に係止されていることを特徴とするのぼり旗。
【請求項２】
旗取付部材は、プラスチック板又は可撓性を有する樹脂にて形成されていることを特徴とする請求項１に記載ののぼり旗。
【請求項３】
旗竿の上端部に横棒の一方の端部近傍が回動自在に取り付けられおり、該横棒の他方の端部近傍は、旗の一方の上方角部近傍と連結していることを特徴とする請求項１又は２に記載ののぼり旗。
【請求項４】
旗取付部材の摺動部は、旗竿の外周面に対して回動自在であると共に、旗竿の抜けを防止する抜け止め片が形成されていることを特徴とする請求項１〜３のいずれか１項に記載ののぼり旗。
【考案の詳細な説明】
【技術分野】
【０００１】
本考案は、文字や図柄等が記載された商業用の宣伝広告部材であるのぼり旗に関するものである。
【背景技術】
【０００２】
従来から、２枚のシートを重ね合わせて、一方の端部を断続的に綴じて、風を排出する風穴を形成すると共に、旗竿側の他方の端部に風を取り込む風穴を形成したのぼり旗が知られている（特許文献１参照）。こののぼり旗は、２枚のシートの間を風が吹き抜けるので、強風の時に、のぼり旗の左右の振れが小さく抑えられて安定した状態を保持することができるものであった。
【先行技術文献】
【特許文献】
【０００３】
【特許文献１】特開２００６−２５１７８９号公報
【考案の概要】
【考案が解決しようとする課題】
【０００４】
しかしながら、上記特許文献１に記載ののぼり旗は、風を取り込む側の風穴を、２枚のシート間にリングを縫い付けることによって形成しているため、該リングを金属で形成した場合には、通行人が旗に接触した場合に危険性を有するものであった。また、リングを柔らかなひも状部材で形成した場合には、風穴に十分な風を取り込むことができず、２枚のシートに記載されている宣伝広告内容を、通行人に視認され易くするという本来の目的を十分に達成することができなかった。
【０００５】
そこで、本考案は、安全性に配慮すると共に、２枚のシート間に十分な風を取り込むことができ、宣伝広告効果を最大限に発揮することができるのぼり旗を提供することを目的とする。
【課題を解決するための手段】
【０００６】
上記課題を解決するため、請求項１に記載の考案は、旗と、旗竿と、前記旗と前記旗竿とを連結する旗取付部材とを有するのぼり旗において、前記旗は、２枚のシートを重ね合わせると共に、短手方向の一方の端部近傍を長手方向に沿って断続的に綴じることによって形成された風穴と、短手方向の他方の端部近傍に、前記旗取付部材に係止される、前記２枚のシートの各々に形成された係止穴とを有し、前記旗取付部材は、前記旗竿の外周面に対して回動自在な摺動部と、該摺動部を中心として両側に延びる所定長の腕部と、該腕部の端部側に形成された旗係止部とを有し、前記旗の係止穴が、前記旗取付部材の旗係止部に係止されていることを特徴としている。したがって、旗取付部材を旗竿側に設けているので、通行人等が旗に触れた場合の安全性を確保することができる。また、２枚のシートからなる旗の旗竿側は、従来のような風穴では無く、２枚のシート間全体で形成される大きな開口から風を取り込むこととなるので、十分な風を取り込むことができる。さらに、風を取り込んだ状態では、２枚のシートが筒状となることから、２枚のシート表面に記載されている文字や図柄、写真印刷等の内容を通行人は、容易に視認することができ、広告宣伝効果を向上させることができる。また、２枚のシートに立体的な写真印刷を施すことによって、立体的な表現媒体として利用することも可能となる。
【０００７】
また、請求項２に記載の考案は、請求項１の考案において、旗取付部材は、プラスチック板又は可撓性を有する樹脂にて形成されていることを特徴としている。したがって、風の強さによって、２枚のシート間に形成される開口の大きさを調節することができる。
【０００８】
また、請求項３に記載の考案は、請求項１又は２の考案において、旗竿の上端部に横棒の一方の端部近傍が回動自在に取り付けられおり、該横棒の他方の端部近傍は、旗の一方の上方角部近傍と連結していることを特徴としている。したがって、旗の向きを風の吹く方向に対応して変化させることができる。
【０００９】
また、請求項４に記載の考案は、請求項１〜３のいずれかの考案において、旗取付部材の摺動部は、旗竿の外周面に対して回動自在であると共に、旗竿の抜けを防止する抜け止め片が形成されていることを特徴としている。したがって、旗取付部材が旗竿から抜けることがないので安全である。また、既存ののぼり旗を活用して、本発明に係るのぼり旗へと改造することが容易であることから、のぼり旗の製造コストを抑えることができる。
【考案の効果】
【００１０】
請求項１に記載ののぼり旗の考案により、安全性を確保することができると共に、十分な風を取り込むことができる。また、２枚のシート表面に記載されている文字や図柄、写真印刷等の内容を通行人は、容易に視認することができ、広告宣伝効果を向上させることができる。さらに、２枚のシートに立体的な写真印刷を施すことによって、立体的な表現媒体として利用することも可能となる。
【００１１】
また、請求項２に記載の考案は、風の強さによって、２枚のシート間に形成される開口の大きさを調節することができる。
【００１２】
また、請求項３に記載の考案は、旗の向きを風の吹く方向に対応して変化させることができる。
【００１３】
また、請求項４に記載の考案は、のぼり旗の安全性を確保することができると共に、のぼり旗の製造コストを抑えることができる。
【図面の簡単な説明】
【００１４】
【図１】本考案に係るのぼり旗の正面図である。
【図２】本考案に係るのぼり旗の右側面図である。
【図３】（ａ）本考案に係るのぼり旗を構成する旗の表面の一例を示す図である。（ｂ）同旗の裏面の一例を示す図である。
【図４】本考案に係るのぼり旗を構成する旗取付部材の第１実施形態を示す斜視図である。
【図５】本考案に係るのぼり旗を構成する旗取付部材の第１実施形態を示す平面図である。
【図６】本考案に係るのぼり旗が筒状に膨らむ原理を説明する図である。
【図７】本考案に係るのぼり旗に使用する横棒取付部材を示す正面図である。
【図８】本考案に係るのぼり旗を構成する旗取付部材の第２実施形態を示す平面図である。
【考案を実施するための形態】
【００１５】
以下に、図面を用いて本考案の実施形態を説明する。図１は、本考案に係るのぼり旗の正面図であり、図２は、右側面図である。これらの図を用いて本考案に係るのぼり旗の概要を説明する。
【００１６】
本考案に係るのぼり旗１０は、旗１と、旗竿２とを有している。また、旗１と旗竿２は、４個の旗取付部材３、３・・によって連結されている。旗１は、２枚のシート１Ａ、１Ｂを重ね合わせると共に、短手方向の一方の端部側を長手方向に沿って断続的に糸で縫い合わせて綴じることによって複数の縫い合せ部４ａが形成されると共に、複数の風穴４が形成されている。また、短手方向の他方の端部側の近傍に、旗取付部材３、３・・に係止される複数の係止穴５、５・・が２枚のシート１Ａ、１Ｂの各々に形成されている。尚、最上部に位置する旗取付部材３の下方近傍の旗竿２側には、ストッパー８が固定されており、これにより、旗１の上端側が垂れて見苦しくなるのを防いでいる。また、旗取付部材３、３・・によって、２枚のシート１Ａ、１Ｂ間に開口１１が形成されている。
【００１７】
そして、旗竿２の上端部側に、横棒６の一方の端部側の近傍が、横棒取付部材７を介して回動自在に取り付けられおり、横棒６の他方の端部側の近傍は、旗１の一方の上方角部側の近傍と連結している。また、旗竿２の下端部側は、コンクリート等によって形成された固定台９に形成された孔部に挿入されて固定されている。
【００１８】
図３（ａ）は、本考案に係るのぼり旗を構成する旗の表面の一例を示す図であり、図３（ｂ）は、裏面の一例を示す図である。前述したとおり、本考案に係るのぼり旗１０を構成する旗１は、表面と裏面とが２枚のシート１Ａ、１Ｂにて形成されており、この２枚のシート１Ａ、１Ｂを重ね合わせると共に、短手方向の一方の端部側を長手方向に沿って断続的に糸で縫い合わせて綴じることによって複数の縫い合せ部４ａが形成されると共に、複数の風穴４が形成されている。さらに、旗１の一方の上方角部側の近傍には、前述した横棒６と連結するためのループ状の取り付け部が形成されている。
【００１９】
また、短手方向の他方の端部側の近傍に、旗取付部材３を係止するために、２枚のシートの各々に、複数の係止穴５、５・・が形成されている。尚、図３に示すように、旗１の表面と裏面とを異なる広告内容にしてもよいが、同じ広告内容であってもよいものである。また、図３においては、風穴４が、旗１の長手方向に沿って２箇所に形成されているが、１箇所又は３箇所以上であっても本考案に含まれるものである。
【００２０】
さらに、短手方向の他方の端部側の近傍の長手方向に沿って、旗取付部材３を係止するために、２枚のシートの各々に形成されている複数の係止穴５、５・・は、図３においては、４箇所に形成されているが、本考案は、これに限定するものではなく、旗取付部材の数に対応して形成されるものである。
【００２１】
図４は、本考案に係るのぼり旗を構成する旗取付部材の第１実施形態を示す斜視図である。図４に示すように、旗取付部材３は、旗竿２の外周面に対して回動自在な摺動部３１と、摺動部３１を中心として両側に延びる所定長の腕部３２ａ、３２ｂと、この腕部３２ａ、３２ｂの端部側に形成された旗係止部３３ａ、３３ｂとを有している。
【００２２】
図４に示す旗取付部材３は、プラスチック板又は可撓性を有する樹脂にて形成されているのが望ましい。旗取付部材３が可撓性を有することによって、風の強さに対応して、２枚のシート間に形成される開口の大きさを調節することができる。
【００２３】
また、旗取付部材３の摺動部３１は、旗竿の外周面に対して回動自在であると共に、旗竿の抜けを防止する抜け止め片３１ａ、３１ｂが形成されている。したがって、旗取付部材３が旗竿から抜けることがないので安全である。また、既存ののぼり旗を活用して、本発明に係るのぼり旗へと改造することが容易であることから、のぼり旗の製造コストを抑えることができる。
【００２４】
図５は、本考案に係るのぼり旗を構成する旗取付部材の第１実施形態を示す平面図である。前述したとおり、第１実施形態の旗取付部材３は、摺動部３１と、腕部３２ａ、３２ｂと、旗係止部３３ａ、３３ｂとを有するものである。そして、摺動部３１に旗竿２を取り付けた状態では、旗竿２の断面中心から旗係止部３３ａ、３３ｂの折り返し箇所までの距離Ａ及びＢが等しくなるように形成されている。
【００２５】
また、旗取付部材３の腕部３２ａ、３２ｂの開き角度Ｃは、旗の大きさ及び旗取付部材の大きさを考慮して所定の角度に決定されるものであり、開き角度Ｃが決定されることによって、２枚のシート間に形成される開口の幅方向の長さＤが決定される。
【００２６】
図６は、本考案に係るのぼり旗が筒状に膨らむ原理を説明する図である。図６に示すように、旗竿２の後方から風Ａが吹いている場合には、この風Ａの一部が２枚のシート間に形成される開口１１から旗１の内部に入り込むこととなる。この時、旗１の内部に入り込んだ風Ａによって、２枚のシートには、力Ｂ及びＣが作用し、旗１は、筒状に膨らむこととなるのである。そして、旗１の内部に入り込んだ風Ａを旗１の上部開口、下部開口及び風穴４から放出されることによって、風Ａが強風の場合でものぼり旗１０が倒れることがないようにしている。
【００２７】
図７は、本考案に係るのぼり旗に使用する横棒取付部材を示す正面図である。図７に示すように、横棒取付部材７は、取付部材本体７１と、キャップ７２と、回動片７３とから構成されている。回動片７３は、横断面がＣの字状となるように形成されており、取付部材本体７１の回動軸７１ａに対して回動自在となるように嵌め込まれている。また、取付部材本体７１の上部には、横棒が挿入される貫通孔７１ｂが形成されていると共に、キャップ７２が螺合する雄ネジ７１ｃが形成されている。また、キャップ７２の内側には、取付部材本体７１の雄ネジ７１ｃと螺合する雌ネジ（図示せず）が形成されている。
【００２８】
上述のように構成された横棒取付部材７は、回転軸７１ａ及び回動片７３側が旗竿２の上部円筒部（図示せず）に挿嵌される。この時、旗竿２の上部円筒部の内壁と回動片７３の外周面とが嵌合することによって、取付部材本体７１とキャップ７２とは、旗竿２に対して回動自在となる。そして、貫通孔７１ｂに横棒が挿入された後、キャップ７２を締め付けることによって、取付部材本体７１側に横棒が固定されることとなる。このようにして、横棒は、旗竿２に対して回動自在に取り付けられる。また、前述したように、旗取付部材３の摺動部３１は、旗竿２の外周面に対して回動自在であることから、旗の向きを風の吹く方向に対応して変化させることができるので、旗取付部材３によって、２枚のシート間に形成される開口から旗１の内部に、風を容易に取り込むことができる。
【００２９】
図８は、本考案に係るのぼり旗を構成する旗取付部材の第２実施形態を示す平面図である。第２実施形態の旗取付部材２０は、平板状の旗取付部材本体２１と、２個のクリップ２２ａ、２２ｂとから構成されている。旗取付部材本体２１は、中央に旗竿２の外径よりも少し大きな直径の貫通孔２１ａが形成されている。この貫通孔２１ａを中心にして左右に等間隔の位置にクリップ取付孔２１ｂ、２１ｃが形成されている。
【００３０】
上述のように構成された第２実施形態の旗取付部材２０は、前述した旗１の２枚のシートの各々に形成されている係止穴５、５にクリップ２２ａ、２２ｂが取り付けられると共に、クリップ２２ａ、２２ｂは、旗取付部材本体２１のクリップ取付孔２１ｂ又は２１ｃに取り付けられる。そして、旗取付部材本体２１の貫通孔２１ａに旗竿２が挿入されることによって、旗竿２に旗１が取り付けられる。尚、図１及び図２において説明したストッパー８を最上部に位置する旗取付部材２０の下方近傍の旗竿２側に固定することによって、旗１の上端側が垂れて見苦しくなるのを防ぐことができる。
【００３１】
したがって、旗取付部材２０によって、旗１の２枚のシート間に開口が形成され、この開口から旗１の内部に風を取り込むことを可能にしている。また、貫通孔２１ａによって、旗取付部材本体２１が旗竿２に対して回動自在となっている。さらに、前述したように、横棒は、旗竿２に対して回動自在に取り付けられるので、旗１の向きを風の吹く方向に対応して変化させることができるので、旗取付部材２０によって、２枚のシート間に形成される開口から旗１の内部に、風を容易に取り込むことができる。
【産業上の利用可能性】
【００３２】
本考案ののぼり旗は、文字や図柄等が記載された商業用の宣伝広告部材として、利用される。
【符号の説明】
【００３３】
１  旗
２  旗竿
３、２０  旗取付部材
４  風穴
４ａ  縫い合せ部
５  係止穴
６  横棒
７  横棒取付部材
８  ストッパー
９  固定台
１０  のぼり旗
１１  開口
３１  摺動部
３１ａ、３１ｂ  抜け止め片
３２ａ、３２ｂ  腕部
３３ａ、３３ｂ  旗係止部
【図１】
0003197169.tif 000003
【図２】
0003197169.tif 000004
【図３】
0003197169.tif 000005
【図４】
0003197169.tif 000006
【図５】
0003197169.tif 000007
【図６】
0003197169.tif 000008
【図７】
0003197169.tif 000009
【図８】
0003197169.tif 000010